(57)【要約】本発明は高速周波数ホッピング無線通信のシステム（１００）を開示している。そのシステムは、送信部（１１０）と受信部（１２０）とを有している。送信部（１１０）と受信部（１２０）は夫々、ランダム周波数生成ユニット（１１５，１２５）を有する。前記送信部と前記受信部のランダム周波数生成ユニットは類似している。前記両部各々のランダム周波数生成ユニット（１１５，１２５）はＦＩＲアルゴリズムに基づいた擬似乱数（ＰＲＮ）発生器を有し、前記ＰＲＮ発生器は、システム外部で生成されたクロック信号を入力として用いる。その用いられる外部クロック信号は、ＧＰＳシステムからの適切なクロック信号である。
2008541608.tif 000002
【特許請求の範囲】
【請求項１】
ランダム周波数生成ユニット（１１５）を有する送信部（１１０）と、前記送信部のランダム周波数生成ユニットに類似しているランダム周波数生成ユニット（１２５）を有する受信部（１２０）とを有する高速周波数ホッピング無線通信のシステムであって、
前記システムは、
前記送信部と前記受信部の夫々のランダム周波数生成ユニット（１１５，１２５）は、ＦＩＲアルゴリズムに基づいた擬似乱数（ＰＲＮ）発生器を有し、
前記ＰＲＮ発生器は、システム外部で生成されたクロック信号を入力として用いることを特徴とするシステム。
【請求項２】
前記用いられる外部クロック信号は、ＧＰＳシステムからのクロック信号であることを特徴とする請求項１に記載のシステム。
【発明の詳細な説明】
【技術分野】
【０００１】
本発明は送信部と受信部とを有する高速周波数ホッピング無線通信のシステムを開示する。送信部と受信部の夫々は、互いに類似のランダム周波数生成ユニットを有する。
【背景技術】
【０００２】
無線通信の分野では、“拡散スペクトラム”として知られる技術がしばしば用いられ、決定的な信号を確率的に表している。そのような信号は白色雑音に似ているので、妨害信号を理解することを難しくしている。
【０００３】
“拡散スペクトラム”を達成する１つの知られた方法は高速周波数ホッピングであり、省略されてＦＦＨと呼ばれる。そのようなシステムで任意の与えられた瞬間において用いられる周波数はしばしばランダム周波数生成器により決定される、その生成器は受信器にも送信器にも知られた同期信号により駆動され、受信器が送信器により用いられた周波数に“追従する”ことを可能にしている。
【０００４】
上述した種類の多くのＦＦＨシステムに共通の特徴は、各“状態”、或いは、この場合には周波数は前に用いられた周波数に強い依存性をもつ。もし、ある理由のために受信器と送信器とがその同期を“喪失”するなら、その受信器と送信器とは位相が合わなくなり、それは受信器が送信器を“聴取（hear）”することができなくなるであろうことを意味する。
【発明の開示】
【発明が解決しようとする課題】
【０００５】
従って、送信器と受信器とが周波数変化に対して“追従する”より信頼性の高い方法を提供する高速周波数ホッピング（ＦＦＨ）を用いる方法及び装置の必要がある。好ましくは、そのような方法或いは装置は以前より知られた方法や装置よりも周波数生成の点でより信頼性のある方法を提供すべきでもあろう。
【課題を解決するための手段】
【０００６】
この必要は本発明により扱われており、本発明では高速周波数ホッピング無線通信のシステムを開示する。そのシステムは、送信部と受信部とを有している。その送信部と受信部は夫々、ランダム周波数生成ユニットを有する。その送信部と受信部の両方のランダム周波数生成ユニットは類似している。本発明のシステムでは、前記送信部及び受信部各々のランダム周波数生成ユニットはＦＩＲアルゴリズムに基づいた擬似乱数（ＰＲＮ）発生器を有し、前記ＰＲＮ発生器は、システム外部で生成されたクロック信号を入力として用いる。
【０００７】
次に、本発明を、添付図面を参照してより詳細に説明する。
【発明を実施するための最良の形態】
【０００８】
図１には本発明に従うシステム１００が示されている。破線で示されているように、このシステムは送信部１１０と受信部１２０とを有する。そのシステムの装置は、別々の物理的な構成要素として、或いは、１つに統合されたものとして、送信部と受信部とを有する。好適な実施例では、これら２つの部分は１つに統合されている。しかしながら、図１に示されている送信部と受信部とは１つの物理的なユニットとして統合されたものではない。図１に示されている送信部と受信部とは互いに通信する２つの部分であり、従って、それらは第１の無線通信の送信部と第２の無線通信の受信部である。
【０００９】
図１に示されているように、その送信部はＢＦＳＫ変調器１１１、ミキサ１１２、バンドパスフィルタ１１３を有している。送信されるバイナリデータストリームは変調器１１１への入力として用いられ、その変調器の出力はミキサ１１２への入力の１つとして用いられる。ミキサ１１２への入力のもう１つは送信部１１０の周波数シンセサイザ１１４からのものである。それは周波数シンセサイザ１１４から、信号の送信周波数を決定するミキサ１１２への入力である。
【００１０】
また、図１に示されているように、送信部の周波数シンセサイザ１１４は次に、送信部１１０の擬似乱数発生器（ＰＲＮ発生器）１１５からの入力を得る。ＰＲＮ発生器の設計についてはより詳細に後で説明する。
【００１１】
このシステムの送信部により送信される信号は図１の受信部で受信されるものとして象徴的に示されている。その受信信号は受信部１２０のミキサ１２２への入力の１つとして用いられ、ミキサ１２２の出力はバンドパスフィルタ１２３を介してフィードされる、ミキサ１２２への他の入力は送信部１２０の周波数シンセサイザ１２４からの出力である。
【００１２】
また、図１に示されているように、受信部の周波数シンセサイザ１２４は次に、受信部１２０の擬似乱数発生器（ＰＲＮ発生器）１２５からの入力を得る。ＰＲＮ発生器１２５の設計についてもより詳細に後で説明する。
【００１３】
バンドパスフィルタ１２３からの出力は受信部１２０のＢＦＳＫ検出器１２１への入力として用いられ、ＢＦＳＫ検出器の出力は送信側のＢＦＳＫ変調器への入力として用いられたバイナリデータを再生したものとなろう。
【００１４】
さて図２において、この図ではＰＲＮ発生器の設計をより詳細に図示している。上述のように、送信部と受信部で用いられるＰＲＮ発生器は同じ設計であり、それは図２に示されている。
【００１５】
図２に示されているＰＲＮ発生器１１５、１２５は３つの主要な構成要素、即ち、ファジーユニット２３１、暗号化ユニット２３２、及びルックアップテーブル２３３を有している。
【００１６】
“ファジー”ユニット２３１は絶対に必要なものではないが、受信部と送信部との内、少なくともいずれかに知られているキーと、システム外部で生成されたクロック信号からの入力信号をその入力として用いる。そのキーが受信部で知られているという事実と、ファジーユニットへの別の入力がシステム外部で生成されるという事実とは、その“同期”を喪失するというシステムの危険性が無視できるほどであることを意味している。
【００１７】
ファジーユニット２３１は、整数であるキーと、外部で生成された入力信号とを用いて、その信号を“あいまいにする”。例として、入力される２つの信号が夫々、ａ＝（ａ1，ａ2，ａ3，……ａN）とｂ＝（ｂ1，ｂ2，ｂ3，……ｂM）と、そして、ユニット２３１の転送関数がfuzz（  ）と記載されるなら、Ｍ＞Ｎであれば、fuzz（ａ，ｂ）＝（ａ1，ｂ1，ａ2，ｂ2……ａN，ｂN，ｂM）である。また、Ｎ＞Ｍであれば、fuzz（ａ，ｂ）＝（ａ1，ｂ1，ａ2，ｂ2……ａM，ｂM，ｂN）である。
【００１８】
暗号化ユニット２３２は図３により詳細に示されている。図３で示唆されるように、暗号化ユニット２３２は２つの入力信号、キーＫと時間で変化する信号ｔnとを用い、また転送関数ｇを有している。従って、暗号化出力ＵnはＵn＝ｇ（ｔn＋Ｋ）となろであろう。もし、ファジーユニット２３１が用いられるなら、暗号化ユニット２３２への入力はファジーユニット２３１からの出力となるであろう。
【００１９】
また、図３に示唆されているように、暗号化ユニットの転送関数ｇは、そのユニットの出力からその入力のいずれかへのフィード接続がないので、以前に生成された乱数Ｕn-1に依存することはない。もし、電気回路としてこれが理解されるなら、その暗号化ユニットはＦＩＲ（有限衝撃応答）フィルタに似たものといえる。それはその出力から入力への後方フィードをもつＩＩＲ（無限衝撃応答）フィルタとは対照的である。システム２００の暗号化ユニットのために用いられるかもしれない別の表現は、それがフィードバックループを用いない真のフィードフォワードアルゴリズムに基づいているという点である。
【００２０】
本発明の暗号化ユニットで用いられるのに適切な１つのアルゴリズムは、所謂、タイニー・エンクリプション・アルゴリズム（Tiny Encrypition Algorithm）ＴＥＡであるか、或いは、ＸＴＥＡ、拡張ＴＥＡとして知られるＴＥＡのヴァージョンである。
【００２１】
暗号化ユニットからの出力は従って、Ｍビットの１データワードであり、Ｍは周波数ホッピング無線通信においてキャンセルすることが望まれている周波数により決定される整数である。そのデータワードはルックアップテーブルＬＵＴ２３３への入力として用いられる。ＬＵＴは格納された周波数のリストであり、その周波数夫々はそのデータワードの異なる値に対応している。
【００２２】
従って、ＬＵＴ２３３からの出力は送信部と受信部の周波数シンセサイザ１１４、１２４への入力として用いられ、正しい周波数を生成する。
【００２３】
さて、図３に戻ると、ＰＲＮ発生器１１４、１２４の原理を示す図が示されている。その図から理解できるように、それら発生器の入力として用いられる外部信号はＰＲＮ発生器１１４、１２４の両方により同時にアクセスされるものである。多くの他のソースの信号も想起されるが、そのような信号の適切なものの例は、ＧＰＳシステムからの信号が含まれている時刻信号である。述べることができるそのような外部クロック信号の他の例は、国中を網羅するテレビ放送に含まれるクロック信号、無線制御されたクロックや時計を制御するための無線信号、そして、ＧＰＳシステム以外の衛星航法システムである。
【００２４】
ＰＲＮ発生器に含まれているような図３に示されたルックアップテーブルに代わるものとして、暗号化ユニットが、その暗号化ユニットからの入力データワードを用いて周波数を発生する機能をもつ周波数発生器に直接接続されても良い。
【図面の簡単な説明】
【００２５】
【図１】周波数ホッピング受信器と送信器のブロック図である。
【図２】共通外部入力をもつ擬似乱数（ＰＲＮ）の原理を示す図である。
【図３】ＰＲＮの詳細なブロック図である。
【図４】図である。
【図１】
2008541608.tif 000003
【図２】
2008541608.tif 000004
【図３】
2008541608.tif 000005
【図４】
2008541608.tif 000006
【国際調査報告】
2008541608.tif 000007
2008541608.tif 000008
2008541608.tif 000009
2008541608.tif 000010